(57)【要約】【課題】車両を大幅に改造することなく荷台に容易に搭載可能な汎用性のある事務室兼休憩室を備えた工事現場用車両を提供する。【解決手段】車両の荷台１に着脱可能のボックス２が搭載され、ボックス２は断熱性の壁４で形成され、ボックス内は事務室兼休憩室３、臭気除去設備を備えた発酵槽付きトイレ５、物入れ・発電機収納室６が配置され、ボックス２の外側の後面に工事中の標識盤及び標識灯１７が設けられている事務室兼休憩室を備えた工事現場用車両。【選択図】図１
2005205961.tif 000002
【特許請求の範囲】
【請求項１】
車両の荷台に着脱可能のボックスが搭載され、前記ボックスは断熱性の壁で形成され、
前記ボックス内は事務室兼休憩室、臭気除去設備を備えた発酵槽付きトイレ、物入れ・発電機収納室が配置され、ボックスの外側の後面に工事中の標識盤及び標識灯が設けられていることを特徴とする事務室兼休憩室を備えた工事現場用車両。
【請求項２】
前記断熱性の壁は、外壁材と内壁材の間にガスが循環するガス断熱層を有することを特徴とする請求項１記載の事務室兼休憩室を備えた工事現場用車両。
【請求項３】
前記臭気除去設備は、上部と下部が通気可能な透明な容器内の下部にシリカゲルに硫酸第一鉄、酢酸亜鉛をそれぞれコーティングした粒状の担体が充填され、ネットを介して上部にプロピレングリコールをコーティングし粒状の担体が充填されているカートリッジを備えていることを特徴とする請求項１又は２記載の事務室兼休憩室を備えた工事現場用車両。
【発明の詳細な説明】
【技術分野】
【０００１】
本発明は、工事事務所及び作業員休憩所として機能する移動可能な事務室兼休憩室を備えた工事現場用車両に関する。
【背景技術】
【０００２】
土木工事や建設工事の現場では、工事が長期にわたる場合は、工事事務所及び作業員休憩所として仮設ハウスを設置し、作業員は、仮設ハウス内で事務作業をしたり、休憩したり、用便したりすることができる。しかしながら、たとえば道路植樹帯、道路の補修などの道路維持管理工事のように工期が短く工事現場が日々移動する工事形態に対しては、作業員が事務、休憩、用便することができるハウスを仮設することがないので、事務、休憩は車の中や野外で行い、用便は隠れた場所などで足すしかなかった。
【０００３】
そこで、例えば、特許文献１で、運転室の後部に延長するシャーシ上に製作したボックス内を仕切り壁で前後に分割し、一方を循環式水栓便器や電気焼却式便器、洗面器などを装備する化粧室とし、他方を冷暖房装置や畳、ベッドなどを装備する休憩室に形成した移動可能な休憩車が提案されている。
【特許文献１】特開平６−２４２６８号公報
【発明の開示】
【発明が解決しようとする課題】
【０００４】
しかしながら、前記休憩車では、ボックスを車毎に製作するために車両を改造する工事をしなくてはならないので、汎用性を欠き、且つ短期間で容易に休憩車を製造することができないという欠点がある。
【０００５】
また、仮に、組立式ハウスなどを貨物車の荷台に搭載しようとしても、組立式ハウスなど建築物の寸法は尺貫法を基本としているために貨物自動車などインチ寸法と符合せずに荷台からはみ出したり、高速走行時の横風風圧による横転や走行中の脱着などの問題点がある。さらに、大容量の（６ＫＶＡ）電源確保が必要となり、仮に、エンジンを改造したとしても高コストとなる問題がある。また、トイレはタンク溜置式では衛生確保に問題がある。以上のことから、組立式ハウスを車両に搭載することは行われなかった。
【０００６】
そこで、本発明は、車両を大幅に改造することなく荷台に容易に搭載可能な汎用性のある事務室兼休憩室を備えた工事現場用車両を提供するものである。
【課題を解決するための手段】
【０００７】
本発明の事務室兼休憩室を備えた工事現場用車両は、車両の荷台に着脱可能のボックスが搭載され、前記ボックスは断熱性の壁で形成され、前記ボックス内は事務室兼休憩室、臭気除去設備を備えた発酵槽付きトイレ、物入れ・発電機収納室が配置され、ボックスの外側の後面に工事中の標識盤及び標識灯が設けられていることを特徴とする。
【発明の効果】
【０００８】
本発明では、車両を大幅に改造することなく容易に事務室及び休憩室として必要な機能を集積した工事現場用車両が提供されるので、日々移動する工事現場においても事務室や休憩室が存在することとなり、施工管理の向上や作業員の作業環境を改善することができる。
【発明を実施するための最良の形態】
【０００９】
図１は本発明の車両の一実施例を示し、（ａ）は平面図、（ｂ）は側面図、（ｃ）は後面図である。図１において、貨物自動車の荷台１の上に搭載するボックス２は、事務室兼休憩室３、事務室兼休憩室３と壁４を隔ててトイレ５、物入れ・発電機収納室６が配置され、事務室兼休憩室３とトイレ５及び物入れ・発電機収納室６は、扉７と通路８を介して出入りでき、ボックス２の後の壁４に設けられた出入口９からボックス内に出入り可能となっている。出入口９には、着脱自在の安全柵付昇降ステップ（図示せず）を配置して昇降可能にする。
【００１０】
事務室兼休憩室３は、ボックス２のおよそ半分を占有し、図１（ａ）の室内のレイアウトの一例に示されるように、長机１０がおかれ、その両側に長いす１１、白ボード１２が壁４に設けられて、事務ができるようになっている。長いす１１の下には物入れが設けられ、さらにボックス２の壁４にネット棚、書類棚、保安帽格納棚等の棚１３を設けるなどして事務室兼休憩室３の空きスペースを有効に利用して事務処理や休憩に必要な物が収納できるようにする。
【００１１】
さらに、事務室兼休憩室３には、冷蔵庫１４、空調機１５が配置されており、快適に事務や休憩ができるようになっている。空調機１５はボックスの外の室外機１６に接続されている。
【００１２】
トイレ５は発酵槽付きトイレとすることにより排泄物が発酵処理され、ここで発生した臭気はすべて除臭装置（図示せず）にかけられ、脱臭されて放出されるので、周囲に臭気を発するのを確実に防止することができる。
【００１３】
また、物入れ・発電機収納室６は上部に作業道具などを収納する物入れ、下部には発電機収納室を配置する。発電機には発電用ディーゼルエンジンを採用することによりエンジンを改造しなくて済むので、電力コストを低減し経済効果を高めることができる。
【００１４】
ボックス２の最後部には標識盤・標識灯１７を設けて、工事中であることを表示することにより、車両の安全を確保することができる。
【００１５】
図２（ａ）は本発明に使用するボックスの壁構造の一例を示す断面図、（ｂ）はその拡大図である。壁４は、発砲スチレン断熱材とガス断熱の組み合わせにより壁厚を薄くしている。合板４ａに約３０倍以上の発泡倍率を有した約３０ｍｍ板厚の発泡スチレン材の断熱材４ｂを貼り付け内壁材４ｃとし、外壁材４ｄと内壁材４ｃとの間にガス断熱層４ｅを形成してガスを循環させる。ガス断熱層４ｅは、空気、窒素ガスあるいはヘリウムガスなどのいずれかを使用する。ガス断熱層４ｅは、太陽光から受ける輻射熱の除去に効果がある。輻射熱に対してガス断熱層４ｅにより、最大３０℃の温度勾配が設定可能となる。これにより、壁４からの輻射熱の遮断が可能となる。ガス断熱層４ｅのうち、空気を使用する場合は開放型の循環式を採用し、窒素ガス及びヘリウムガスを使用する場合は放熱回路を含めた全閉式とする。
【００１６】
図３は本発明によるボックスを貨物荷台に固定する固定装置の一例を示す図である。図３（ａ）において、ボックス２の下部フレーム２ａの周囲には、丸棒からなる水平のボックス固定部材１８が複数個所、例えば１０個所に間隔を置いて設けられている。
【００１７】
荷台１にはボックス固定部材１８に係止する回動自在のフック１９が軸支されたフレーム２０が固定されている。図３（ｂ）に示すように、フック１９のレバー１９ａには複作動シリンダーのピストンロッド（図示せず）の両端に接続された駆動ワイヤー１９ｂがそれぞれ接続されている。複作動シリンダーのピストンロッドの往復動によりいずれか一方の駆動ワイヤー１９ｂが引張られることによりフック１９が正逆回転して、ボックス固定部材１８に係合し、あるいは係合が解除される。
【００１８】
ボックス２を荷台１に固定した状態では、複作動シリンダーで駆動ワイヤー１９ｂで引張られてフック１９がボックス固定部材１８に圧着されると同時にフック１９で係合されているので、強固にボックス固定部材１８を固定することができ、仮に途中で複作動シリンダーの油圧がなくなるなどして故障しても、固定姿勢は保持される。
【００１９】
図４は本発明に使用する発酵槽付きトイレに脱臭に使用するカートリッジの正面図である。図４において、上部と下部が通気可能な透明な円筒状のＰＥＴなどの容器２１内の下部にシリカゲルに化学反応剤（硫酸第一鉄、酢酸亜鉛）をコーティングした粒状の担体が充填され、ネットを介して上部に保湿剤（プロピレングリコール）などをコーティングし粒状の担体が充填されている。
【００２０】
発酵槽から発酵により発生した、アンモニア、硫化水素、メチルメルカプタン、ジメチルメルカプタンなどの悪臭成分と、容器２１に充填された化学反応剤（硫酸第一鉄、バックアップ用として酢酸亜鉛）や保湿剤（プロピレングリコール）との化学反応により脱臭が行われる。カートリッジは、下部の一層目は化学反応が進むと乳白色から褐色へ変わり、化学反応状況が目視できる。層全体が褐色に変化するとカートリッジを交換する。二層目は同様に赤色から黄色へ変化する。例えば、硫酸第一鉄を２００グラム、安全率を５０％として換気量を１日あたり４３４立方メートルに設計すると、耐用年数は約８年使用することが可能である。
【図面の簡単な説明】
【００２１】
【図１】本発明の車両の一実施例を示し、（ａ）は平面図、（ｂ）は側面図、（ｃ）は後面図である。
【図２】本発明に使用するボックスの壁構造の一例を示す断面図である。
【図３】本発明によるボックスを貨物荷台に固定する固定装置の一例を示す図である。
【図４】本発明に使用する発酵槽付きトイレの脱臭に使用するカートリッジの正面図である。
【符号の説明】
【００２２】
１：荷台
２：ボックス
２ａ：下部フレーム
３：事務室兼休憩室
４：壁
４ａ：内壁材
４ｂ：断熱材
４ｃ：内壁材
４ｄ：外壁材
４ｅ：ガス断熱層
５：トイレ
６：物入れ・発電機収納室
７：扉
８：通路
９：出入口
１０：長机
１１：長いす
１２：白ボード
１３：棚
１４：冷蔵庫
１５：空調機
１６：室外機
１７：標識盤・標識灯
１８：ボックス固定部材
１９：フック
１９ａ：レバー
１９ｂ：駆動ワイヤー
２０：フレーム
２１：容器
【図１】
2005205961.tif 000003
【図２】
2005205961.tif 000004
【図３】
2005205961.tif 000005
【図４】
2005205961.tif 000006